(57)【要約】【課題】音声データの低遅延伝送を実現するとともにEnd-To-EndでのＳＩＰメッセージ交換を実現するゲートウェイ装置を得ること。【解決手段】本発明は、自身と同一構成の対向装置とともに通信システムを構成し、ＳＩＰプロキシサーバとしての機能を有するとともに対向装置との間でパケットサービス網３を経由した通信および音声サービス網４を経由した通信が可能なゲートウェイ装置１１，１２であって、自身をＳＩＰプロキシサーバとしているＶｏＩＰ端末５１１，５２１からＩＮＶＩＴＥメッセージを受信した場合、ＩＮＶＩＴＥメッセージの宛先端末のＳＩＰプロキシサーバとして動作している対向装置との間で、パケットサービス網３を介した第１の通信路および音声サービス網４を介した第２の通信路を確立し、ＳＩＰメッセージの伝送は第１の通信路を利用して行い、また、音声データの伝送は第２の通信路を利用して行う。【選択図】図１
2011244083.tif 000002
【特許請求の範囲】
【請求項１】
自身と同一構成の対向装置とともに通信システムを構成し、ＳＩＰプロキシサーバとしての機能を有するとともに前記対向装置との間でパケットサービス網を経由した通信および音声サービス網を経由した通信が可能なゲートウェイ装置であって、
自身をＳＩＰプロキシサーバとしている端末からＩＮＶＩＴＥメッセージを受信した場合、当該ＩＮＶＩＴＥメッセージの宛先端末のＳＩＰプロキシサーバとして動作している対向装置との間で、前記パケットサービス網を介した第１の通信路および前記音声サービス網を介した第２の通信路を確立し、ＳＩＰメッセージの伝送は前記第１の通信路を利用して行い、また、音声データの伝送は前記第２の通信路を利用して行う
ことを特徴とするゲートウェイ装置。
【請求項２】
前記パケットサービス網経由で前記第１の通信路であるＳＩＰによる音声セッションを確立する制御、および前記音声サービス網経由で前記第２の通信路である音声サービス回線を確立する制御を実施する通信制御手段と、
ＳＩＰメッセージの中継処理を行うＳＩＰ処理手段と、
を備えることを特徴とする請求項１に記載のゲートウェイ装置。
【請求項３】
自身をＳＩＰプロキシサーバとしている端末とＶｏＩＰ通信が可能な端末のＳＩＰプロキシサーバとして動作している対向装置の前記パケットサービス網における識別情報と、当該対向装置の前記音声サービス網における識別情報との対応関係を示したＩＤ対応表を保持しておく記憶手段、
をさらに備え、
前記通信制御手段は、前記ＩＤ対応表に基づいて前記音声サービス回線を確立させる
ことを特徴とする請求項２に記載のゲートウェイ装置。
【請求項４】
前記ＳＩＰ処理部は、自身をＳＩＰプロキシサーバとしている端末から受信したＩＮＶＩＴＥメッセージを対向装置へ転送する場合、当該ＩＮＶＩＴＥメッセージに自装置の音声サービス網における識別情報を付加して送信し、
前記通信制御手段は、ＩＮＶＩＴＥメッセージを利用して対向装置から通知された、当該対向装置の音声サービス網における識別情報に基づいて前記音声サービス回線を当該対向装置との間で確立させる
ことを特徴とする請求項２に記載のゲートウェイ装置。
【請求項５】
前記ＳＩＰ処理部は、さらに、対向装置から受信したＩＮＶＩＴＥメッセージに対する応答メッセージ、または当該応答メッセージよりも後に送信するメッセージに自装置の音声サービス網における識別情報を付加して送信する
ことを特徴とする請求項４に記載のゲートウェイ装置。
【請求項６】
前記ＳＩＰ処理部は、さらに、対向装置から受信したＩＮＶＩＴＥメッセージに対する応答メッセージ、または当該応答メッセージよりも後に送信するメッセージに所定のＤＴＭＦ信号の情報を付加して送信し、
前記通信制御手段は、前記音声サービス回線を前記対向装置との間で確立させた後、前記所定のＤＴＭＦ信号の情報に対応するＤＴＭＦ信号を前記対向装置へ送信する
ことを特徴とする請求項４または５に記載のゲートウェイ装置。
【請求項７】
ＳＩＰプロキシサーバとしての機能を有する複数のゲートウェイ装置を含み、各ゲートウェイ装置は、他のゲートウェイ装置との間でパケットサービス網を経由した通信および音声サービス網を経由した通信が可能となるように構成された通信システムで実行する通信制御方法であって、
前記複数のゲートウェイ装置のうち、自身をＳＩＰプロキシサーバとしている端末からＩＮＶＩＴＥメッセージを受信した第１のゲートウェイ装置が、当該ＩＮＶＩＴＥメッセージの宛先端末のＳＩＰプロシキサーバとして動作している第２のゲートウェイ装置へ当該ＩＮＶＩＴＥメッセージを転送してＳＩＰによる音声セッションの確立制御を行い、当該第２のゲートウェイ装置との間で第１の通信路を確立する第１の通信路確立ステップと、
前記第１のゲートウェイ装置と前記第２のゲートウェイ装置が前記音声サービス網を介した第２の通信路を確立する第２の通信路確立ステップと、
を含み、
前記第１および第２の通信路により接続された各ゲートウェイ装置は、ＳＩＰメッセージの伝送を前記第１の通信路を利用して行い、また、音声データの伝送を前記第２の通信路を利用して行う
ことを特徴とする通信制御方法。
【請求項８】
前記複数のゲートウェイ装置は、自身以外の他のゲートウェイ装置の前記パケットサービス網における識別情報と前記音声サービス網における識別情報との対応関係を示したＩＤ対応表をそれぞれ保持しておき、
前記第２の通信路確立ステップでは、前記保持しておいたＩＤ対応表に基づいて、前記第２の通信路を確立させる
ことを特徴とする請求項７に記載の通信制御方法。
【請求項９】
前記第１の通信路確立ステップでは、
第１のゲートウェイ装置が、前記ＩＮＶＩＴＥメッセージに自装置の音声サービス網における識別情報を付加して転送し、
前記第２の通信路確立ステップでは、
前記第２のゲートウェイ装置が、前記第１のゲートウェイ装置から受信したＩＮＶＩＴＥメッセージに付加された前記識別情報に基づき、前記第２の通信路の確立制御を行う
ことを特徴とする請求項７に記載の通信制御方法。
【請求項１０】
前記第１の通信路確立ステップにおいて、
前記第２のゲートウェイ装置は、前記第１のゲートウェイ装置から受信したＩＮＶＩＴＥメッセージに対する応答メッセージ、または当該応答メッセージよりも後に送信するメッセージに自装置の音声サービス網における識別情報を付加して送信する
ことを特徴とする請求項９に記載の通信制御方法。
【請求項１１】
前記第１の通信路確立ステップにおいて、
前記第２のゲートウェイ装置は、前記第１のゲートウェイ装置から受信したＩＮＶＩＴＥメッセージに対する応答メッセージ、または当該応答メッセージよりも後に送信するメッセージに所定のＤＴＭＦ信号の情報を付加して送信し、
さらに、前記第２のゲートウェイ装置は、前記第２の通信路が確立した後、前記所定のＤＴＭＦ信号の情報に対応するＤＴＭＦ信号を前記第１のゲートウェイ装置へ送信する
ことを特徴とする請求項９または１０に記載の通信制御方法。
【発明の詳細な説明】
【技術分野】
【０００１】
本発明は、ＩＰネットワークと他のネットワークを接続するゲートウェイ装置および通信制御方法に関する。
【背景技術】
【０００２】
さまざまな通信ネットワークにおいて、電話などの音声通信とデータ通信をＩＰ（Internet  Protocol）ネットワーク上に統合する方法が普及してきている。音声通信をＩＰネットワーク上で伝送する技術をＶｏＩＰ（Voice  over  IP）という。ＶｏＩＰシステムにおける呼制御プロトコルの１つとしてＳＩＰ（Session  Initiation  Protocol）が非特許文献１により標準化されている。ＳＩＰのメリットとして、ＷＥＢで使用されるＨＴＴＰ（Hyper  Text  Transfer  Protocol）同様にテキストベースのメッセージフォーマットを採用していることによる拡張容易性を挙げることができる。例えば、従来の電話機能に加えて、多地点会議やプレゼンス、ショートメッセージといった拡張機能を使用することが可能である。
【０００３】
ＶｏＩＰシステムにおいて、電話網とＩＰ網の中継を行う機器をＶｏＩＰゲートウェイという。ＶｏＩＰゲートウェイは、電話線から入力されるアナログ音声データをデジタルデータに変換し、ＩＰパケットに分割してＩＰネットワーク上に送信する。また、ＩＰネットワーク側から受け取ったＩＰパケットをアナログ音声に復元し、電話網へ送り出す。デジタル音声データの圧縮および伸張もＶｏＩＰゲートウェイが行う。
【０００４】
一方、移動体通信システムのような無線アクセス回線では、音声サービスとパケットサービスが区別されている場合がある。このようなパケットサービスにおいては、従量課金制や条件付の定額制が一般的であり、キャリアがユーザの通信量を正確に測定するために無線区間におけるデータリンク層に送達確認や順序制御が実装される。このため、User  Datagram  Protocol（ＵＤＰ）のような信頼性のない上位プロトコルを使用してパケット通信をおこなう場合であっても、無線区間においては、データリンク層の機能により、パケットが信頼性をもって伝送される。
【先行技術文献】
【非特許文献】
【０００５】
【非特許文献１】Internet  Engineering  Task  Force（IETF），ＲＦＣ３２６１
【発明の概要】
【発明が解決しようとする課題】
【０００６】
ＶｏＩＰゲートウェイを介して音声サービスを使用して接続されるＶｏＩＰ端末間では、ＳＩＰメッセージはＶｏＩＰゲートウェイにて電話網の制御メッセージに変換されるため、End-To-EndでＳＩＰメッセージを交換することができず、拡張機能を得ることができないという問題がある。
【０００７】
一方、前述したような無線区間における送達確認や順序制御が実施されるパケットサービスを使用して接続されるＶｏＩＰ端末間では、送達確認や順序制御によってパケットの再送や再構成が行われ、遅延が発生する。このようなＶｏＩＰ端末同士の通信経路に無線区間が含まれている場合、ＶｏＩＰ通信を行うにあたっては、上記のような遅延によって通信のリアルタイム性が損なわれ、充分な音声品質が得られないという問題がある。
【０００８】
本発明は、上記に鑑みてなされたものであって、音声サービスとパケットサービスが区別されている回線を使用してＶｏＩＰ通信を行う形態の通信システムにおいて、音声データの低遅延伝送を実現するとともにEnd-To-EndでのＳＩＰメッセージ交換を実現するゲートウェイ装置および通信制御方法を得ることを目的とする。
【課題を解決するための手段】
【０００９】
上述した課題を解決し、目的を達成するために、本発明は、自身と同一構成の対向装置とともに通信システムを構成し、ＳＩＰプロキシサーバとしての機能を有するとともに前記対向装置との間でパケットサービス網を経由した通信および音声サービス網を経由した通信が可能なゲートウェイ装置であって、自身をＳＩＰプロキシサーバとしている端末からＩＮＶＩＴＥメッセージを受信した場合、当該ＩＮＶＩＴＥメッセージの宛先端末のＳＩＰプロキシサーバとして動作している対向装置との間で、前記パケットサービス網を介した第１の通信路および前記音声サービス網を介した第２の通信路を確立し、ＳＩＰメッセージの伝送は前記第１の通信路を利用して行い、また、音声データの伝送は前記第２の通信路を利用して行うことを特徴とする。
【発明の効果】
【００１０】
本発明によれば、ゲートウェイ装置間では、音声サービス回線上で音声データを送受信し、パケットサービス回線上でＳＩＰデータを送受信するので、音声品質の低下を防止するとともに、ＳＩＰのEnd-To-Endの到達性が確保された通信システムを実現できるという効果を奏する。
【図面の簡単な説明】
【００１１】
【図１】図１は、実施の形態１のゲートウェイ装置を含んで構成された通信システムの一例を示す図である。
【図２】図２は、ゲートウェイ装置の構成例を示す図である。
【図３】図３は、ＩＤ対応表の一例を示す図である。
【図４】図４は、ＶｏＩＰ端末の発信を意味するＳＩＰメッセージ（ＩＮＶＩＴＥメッセージ）の一例を示す図である。
【図５】図５は、実施の形態２のゲートウェイ装置が対向するゲートウェイ装置に向けて送信するＩＮＶＩＴＥメッセージの一例を示す図である。
【図６】図６は、実施の形態３のゲートウェイ装置が送信する１００  Ｔｒｙｉｎｇメッセージの一例を示す図である。
【図７】図７は、実施の形態４のゲートウェイ装置が送信する１００  Ｔｒｙｉｎｇメッセージの一例を示す図である。
【発明を実施するための形態】
【００１２】
以下に、本発明にかかるゲートウェイ装置および通信制御方法の実施の形態を図面に基づいて詳細に説明する。なお、これらの実施の形態によりこの発明が限定されるものではない。
【００１３】
実施の形態１．
図１は、本実施の形態のゲートウェイ装置を含んで構成された通信システムの一例を示す図である。
【００１４】
本実施の形態にかかる通信システムは、パケットサービス網３経由での通信および音声サービス網４経由での通信が可能な通信端末２１，２２と、通信端末２１とＬＡＮ５１とを接続するゲートウェイ装置１１と、通信端末１２とＬＡＮ５２とを接続するゲートウェイ装置１２と、ＬＡＮ５１に接続された複数のＶｏＩＰ端末５１１と、ＬＡＮ５２に接続された複数のＶｏＩＰ端末５２１とを含んでいる。
【００１５】
上記構成の通信システムにおいて、通信端末２１および２２は、通信事業者の提供するパケットサービスと音声サービスを使用するための装置であり、より具体的には、携帯電話端末や衛星電話端末などの無線端末、または、ＡＤＳＬモデムなどの有線端末である。パケットサービス網３は、通信事業者により提供されるパケットサービスによってアクセスすることのできるネットワークである。一方、音声サービス網４は、通信事業者により提供される音声サービスによってアクセスすることのできるネットワークである。パケットサービス網３及び音声サービス網４は、相互接続された複数のサービス網であってもよい。したがって、通信端末２１と２２は、相互接続されていれば、異なるサービス網に接続されていてもよく、同一の通信事業者によるサービスを使用するための装置である必要はない。また、説明の便宜上、図１では、ゲートウェイ装置を２つとしているが、３つ以上であってもよい。
【００１６】
ゲートウェイ装置１１および１２は、本発明にかかるゲートウェイ装置であり、ＳＩＰプロキシサーバとしての機能を有している。また、インタフェース１１１を介して、通信端末２１を制御することができる。この制御は、パケットサービスの開始・終了、パケットサービスを使用したパケット送受信、音声サービスの開始・終了、音声サービスを使用した音声の送受信を含む。ゲートウェイ装置１１と通信端末２１との間のインタフェース１１１は、複数であってもよい。また、パケットサービスと音声サービスで異なるインタフェースであってもよい。ゲートウェイ装置１２と通信端末２２との間のインタフェース１１２も同様である。
【００１７】
また、ゲートウェイ装置１１は、ＬＡＮ５１を介して複数のＶｏＩＰ端末５１１と接続されている。ＶｏＩＰ端末５１１は、ゲートウェイ装置１１をＳＩＰプロキシサーバとしており、ＳＩＰメッセージをゲートウェイ装置１１に対して送信する。同様に、ゲートウェイ装置１２は、ＬＡＮ５２を介して複数のＶｏＩＰ端末５２１と接続されており、ＶｏＩＰ端末５１１は、ゲートウェイ装置１１をＳＩＰプロキシサーバとしている。
【００１８】
ゲートウェイ装置１１および１２の内部構成について説明する。これらのゲートウェイ装置１１および１２の内部構成は同一である。そのため、ここではゲートウェイ装置１１の構成について説明する。図２は、ゲートウェイ装置１１の構成例を示す図である。
【００１９】
図示したように、ゲートウェイ装置１１は、ＳＩＰ処理部１０１、音声変換部１０２、通信端末制御部１０３、記憶部１０４、ＮＡＴ処理部１０５およびＬＡＮ通信部１０６を備え、記憶部１０４で保持している情報にはＩＤ対応表が含まれている。
【００２０】
ＳＩＰ処理部１０１は、ＬＡＮ回線（ＬＡＮ５１との間の通信路）及びパケットサービス回線（通信端末２１を介してパケットサービス網３に接続されたパケット伝送用の通信路）を介してＳＩＰ通信を実施する。より詳細には、ＳＩＰメッセージの送受信、特にＬＡＮ回線とパケットサービス回線の間でＳＩＰメッセージの情報を追加及び変更し、中継する処理を実施する。ＳＩＰメッセージの中継における情報の追加及び変更は、音声回線とＳＩＰセッションの対応付けを目的としている。
【００２１】
音声変換部１０２は、ＬＡＮ回線を介して送受信する音声データと音声サービス回線（通信端末２１を介して音声サービス網４に接続された音声データ伝送用の通信路）を介して送受信する音声データを変換する。すなわち、受信した音声データをその転送先の通信路に適用されている方式に従ったフォーマットの音声データに変換する。
【００２２】
通信端末制御部１０３は、通信端末２１を制御し、対向装置（対向するゲートウェイ装置に接続された通信端末）との間で、パケットサービス回線と音声サービス回線を確立させる。
【００２３】
記憶部１０４で保持されているＩＤ対応表は、ＬＡＮ５１を介して接続された各ＶｏＩＰ端末５１１の識別子と音声サービス回線の接続先の対応関係が記録されたテーブルである。
【００２４】
ＮＡＴ処理部１０５は、ＬＡＮ回線を介して送受信するＩＰパケットとパケットサービス回線を介して送受信するＩＰパケットとの間でアドレス変換を実施する。ＮＡＴ処理部１０５が実施する処理であるＮＡＴ（Network  Address  Translation）は本発明の技術分野ではよく知られた技術であるため、詳細な説明は省略する。ＳＩＰメッセージ中にはＩＰアドレスが含まれるため、ＮＡＴを経由したＳＩＰメッセージの送受信（途中でＮＡＴが実施されるように構成された場合のＳＩＰメッセージの送受信）については、技術的課題が存在し、本発明においても、本技術的課題の解決が必要となる。本技術的課題に関しては、Universal  Plug  and  Play（ＵＰｎＰ）や、Simple  Traversal  of  UDP  through  NATs（ＳＴＵＮ）など、端末側でＮＡＴの存在を検知する方法、及びBack  to  Back  User  Agent（Ｂ２ＢＵＡ）など、ＳＩＰサーバ側でＳＩＰ層でのアドレス変換を実施する方法がよく知られており、本実施の形態のデートウェイ装置１１においては、制限なくこれらのＮＡＴ越えの方法をとることができる（既存のどのような方法を使用してもよい）。
【００２５】
ＬＡＮ通信部１０６は、ＬＡＮ回線を介した通信の制御を行うものであり、ＩＰやEthernet（登録商標）の送受信機能を提供する。この機能についても本発明の技術分野では良く知られているため、説明は省略する。
【００２６】
なお、通信端末２１の機能をゲートウェイ装置１１に持たせてもよい。この場合、たとえば、通信端末制御部１０３が、通信端末２１で行われる処理（パケットサービスと音声サービスを使用するための制御）を実施する。
【００２７】
次に本実施の形態の通信システムの動作について説明する。本実施の形態においては、ゲートウェイ装置１１が図３に例示するＩＤ対応表を保持しているものとし、ＬＡＮ５１を介してゲートウェイ装置１１に接続しているＶｏＩＰ端末５１１が、ＬＡＮ５２を介してゲートウェイ装置１２に接続しているＶｏＩＰ端末５２１に発信する場合の動作について説明する。ここでは、特徴的な処理を実行するゲートウェイ装置１１および１２の動作を中心に説明する。
【００２８】
ＩＤ対応表は固定的なテーブルである。図３に示したＩＤ対応表において、ドメイン名は、ＶｏＩＰ通信における識別子として使用するＳＩＰ  ＵＲＩのドメイン名を示す。なお、ドメイン名の代わりに、ＩＰアドレスやＳＩＰ  ＵＲＩなどのＶｏＩＰ通信における識別子を使用することも可能である。また、電話番号は、ドメイン名が示すドメインのＳＩＰサーバが持つ電話番号である。対向ゲートウェイは、ゲートウェイ装置１１がパケットサービス網３を介して通信する場合の対向装置（通信相手のゲートウェイ装置）の識別情報であり、ＩＰアドレスである。
【００２９】
ゲートウェイ装置１１は、ＶｏＩＰ端末の発信を意味するＳＩＰメッセージをＶｏＩＰ端末５１１から受信すると、受信したＳＩＰメッセージから発信先のＳＩＰ  ＵＲＩを取得する。そして、保持しているＩＤ対応表を確認し、たとえば、発信先がexample.comに存在するＵＲＩである場合、このexample.comに対応付けられている対向ゲートウェイに対して、ＳＩＰの標準が規定する処理を実施の上、ＳＩＰメッセージを転送する。またこのとき、ＩＤ対応表を用いて、上記取得したＳＩＰ  ＵＲＩに対応付けられた電話番号を導き出し、この電話番号に対して音声サービス網４を介して接続する。図４は、ＶｏＩＰ端末の発信を意味するＳＩＰメッセージであるＩＮＶＩＴＥメッセージの一例を示す図である。図４中の破線で囲んだ部分が発信先のＳＩＰ  ＵＲＩである。
【００３０】
ＶｏＩＰ端末５１１の通信相手先となるＶｏＩＰ端末５２１のＳＩＰプロキシサーバとして動作しているゲートウェイ装置１２は、ＶｏＩＰ端末５２１宛のＳＩＰメッセージ（ＩＮＶＩＴＥメッセージ）をパケットサービス回線経由で受信するとともに、音声サービス回線経由で着信を受ける。ゲートウェイ装置１２は、受信したＳＩＰメッセージをＶｏＩＰ端末５２１へ転送し、その後、ＳＩＰによりＶｏＩＰ端末５２１とＶｏＩＰ端末５１１との間のセッション（ＳＩＰによる音声セッション）が確立すると、これを契機として、ゲートウェイ装置１１との間で音声サービス回線を確立させる。
【００３１】
ゲートウェイ装置１１および１２は、音声サービス回線が確立すると、双方の音声変換部１０２による音声変換動作により、それぞれＬＡＮ回線上の音声データと音声サービス回線上の音声データを相互に変換し、伝送する。
【００３２】
このように、本実施の形態の通信システムにおいて、ＳＩＰプロキシサーバとして動作するゲートウェイ装置は、対向するＳＩＰプロキシサーバの電話番号情報をあらかじめ保持しておき、自身が接続されたＬＡＮ経由でＶｏＩＰ端末から発信を意味するＳＩＰメッセージ（ＩＮＶＩＴＥメッセージ）を受信した場合、パケットサービス網経由でＳＩＰによる音声セッションを確立させるとともに、受信メッセージに含まれるＳＩＰ  ＵＲＩに対応付けられている電話番号へ音声サービス網経由で発信を行って、対向するゲートウェイ装置との間の音声サービス回線を確立させる。そして、ゲートウェイ装置間におけるＳＩＰメッセージの伝送はパケットサービス網経由で行い、音声データの伝送については音声サービス網経由で行うこととした。これにより、ゲートウェイ装置を介して接続されるＶｏＩＰ端末は、音声サービス回線上で音声データを送受信し、パケットサービス回線上でＳＩＰデータを送受信することができる。この結果、音声品質の低下を防止するとともに、ＳＩＰのEnd-To-Endの到達性を確保して、拡張容易性を実現できる。
【００３３】
実施の形態２．
つづいて、実施の形態２のゲートウェイ装置について説明する。本実施の形態では、実施の形態１で説明した手法と異なる手法により実施の形態１と同様の効果を得るゲートウェイ装置について説明する。なお、本実施の形態のゲートウェイ装置を含んだ通信システムの構成、およびゲートウェイ装置の構成は実施の形態１と同様である（図１および図２参照）。本実施の形態では、実施の形態１と共通する部分についての説明は省略する。
【００３４】
本実施の形態のゲートウェイ装置は、実施の形態１のゲートウェイ装置と同様、ＶｏＩＰ端末からＩＮＶＩＴＥメッセージ（発信を意味するＳＩＰメッセージ）を受信した場合にパケットサービス網３経由でセッションを確立するが、対向するゲートウェイ装置に対して音声サービス網４経由で発信することはしない。その代わりに、ＶｏＩＰ端末から受信したＩＮＶＩＴＥメッセージの一部を改変した上でパケットサービス網３へ転送する。
【００３５】
たとえば、ＶｏＩＰ端末から送信されるＩＮＶＩＴＥメッセージが図４に示したものである場合、このメッセージを受信した本実施の形態のゲートウェイ装置は、その一部を改変し、図５に示したＩＮＶＩＴＥメッセージを生成して対向するゲートウェイ装置へ送信する。図５は、実施の形態２のゲートウェイ装置が対向するゲートウェイ装置に向けて送信するＩＮＶＩＴＥメッセージの一例を示す図である。
【００３６】
図４および図５に示したように、本実施の形態のゲートウェイ装置は、ＶｏＩＰ端末からＩＮＶＩＴＥメッセージを受信した場合、自身の音声サービス網における識別子（すなわち電話番号）を付与し、対向するゲートウェイ装置に向けて転送する。図５においては、「ＧＷ−Ｐｈｏｎｅ−Ｎｕｍｂｅｒ：９８７６５４３２」がゲートウェイ装置で付加された情報である。
【００３７】
また、本実施の形態のゲートウェイ装置は、対向するゲートウェイ装置の音声サービス網における識別子の情報（ＧＷ−Ｐｈｏｎｅ−Ｎｕｍｂｅｒ：ｘｘｘｘｘ）が付加されたＩＮＶＩＴＥメッセージを受信した場合、この付加されていた情報（ＧＷ−Ｐｈｏｎｅ−Ｎｕｍｂｅｒ：ｘｘｘｘｘ）を削除した上でＩＮＶＩＴＥメッセージをＶｏＩＰ端末へ転送してＶｏＩＰ端末間でセッションを確立させる。また、付加されていた情報を削除する前にその内容を確認して対向するゲートウェイ装置の音声サービス網における識別子を取得しておき、ＳＩＰによる音声セッションの確立を契機として、取得しておいた上記識別子に対して発信を行う。この結果、対向するゲートウェイ装置との間で音声サービス回線が確立し、実施の形態１同様に、パケットサービス網３経由でのＳＩＰによる音声セッション、および音声サービス網４経由での音声サービス回線が確立する。
【００３８】
このように、本実施の形態の通信システムにおいて、ＳＩＰプロキシサーバとして動作するゲートウェイ装置は、自身が接続されたＬＡＮ経由でＶｏＩＰ端末からＩＮＶＩＴＥメッセージを受信した場合、自身の音声サービス網における識別子をＩＮＶＩＴＥメッセージに付加した上で転送を行い、また、音声サービス網における識別子が付加されたＩＮＶＩＴＥメッセージを受信した場合には、パケットサービス網３経由で音声セッションを確立させるとともに、付加されている識別子に対して発信を行い、音声サービス網４経由で音声サービス回線を確立させる。そして、ゲートウェイ装置間におけるＳＩＰメッセージの伝送はパケットサービス網経由で行い、音声データの伝送については音声サービス網経由で行うこととした。これにより、実施の形態１と同様に、ゲートウェイ装置を介して接続されるＶｏＩＰ端末は、音声サービス回線上で音声データを送受信し、パケットサービス回線上でＳＩＰデータを送受信することができる。この結果、音声品質の低下を防止するとともに、ＳＩＰのEnd-To-Endの到達性を確保して、拡張容易性を実現できる。
【００３９】
さらに、ゲートウェイ装置はＩＤ対応表（図３参照）を保持しておく必要がなくなる。また、ゲートウェイ装置が複数の音声サービス回線を有する場合においては、未使用の音声サービス回線を示す識別子をＩＮＶＩＴＥメッセージに付加して伝送することにより、音声回線を効率的に使用することが可能となる。
【００４０】
実施の形態３．
つづいて、実施の形態３のゲートウェイ装置について説明する。本実施の形態では、実施の形態２のゲートウェイ装置の変形例について示す。なお、本実施の形態のゲートウェイ装置を含んだ通信システムの構成、およびゲートウェイ装置の構成は実施の形態１と同様である（図１および図２参照）。本実施の形態では、実施の形態２と共通する部分についての説明は省略する。
【００４１】
本実施の形態のゲートウェイ装置は、実施の形態２のゲートウェイ装置と同様の手順により実施の形態１で必要としていたＩＤ管理表（図３参照）の保持を不要とするものであるが、さらに、対向するゲートウェイ装置から送信されてきたＩＮＶＩＴＥメッセージに対する応答メッセージ（１００  Ｔｒｙｉｎｇメッセージ）をＶｏＩＰ端末から受信し、それを転送する場合には、図６に示したように、自身の音声サービス網における識別子（電話番号）を付加した上でメッセージを転送する。図６は、実施の形態３のゲートウェイ装置が送信する１００  Ｔｒｙｉｎｇメッセージの一例を示す図であり、「ＧＷ−Ｐｈｏｎｅ−Ｎｕｍｂｅｒ：１２３４５６７８」がゲートウェイ装置で付加する情報である。この応答メッセージを受信したゲートウェイ装置（ＩＮＶＩＴＥメッセージの送信側のゲートウェイ装置）は、対向するゲートウェイ装置の電話番号を知ることができる。
【００４２】
なお、ＩＮＶＩＴＥメッセージに対する応答メッセージへ音声サービス網における識別子を付加して通知する場合について説明したが、ＩＮＶＩＴＥメッセージを受信したゲートウェイ装置がその後に送信するＳＩＰメッセージであれば１００  Ｔｒｙｉｎｇメッセージ以外であってもよい（他のメッセージに付加して通知するようにしてもよい）。
【００４３】
このように、本実施の形態の通信システムにおいて、ＳＩＰプロキシサーバとして動作するゲートウェイ装置は、実施の形態２のゲートウェイ装置と同様に、自身の音声サービス網における識別子をＩＮＶＩＴＥメッセージに付加した上で転送を行い、また、音声サービス網における識別子が付加されたＩＮＶＩＴＥメッセージを受信した場合には、パケットサービス網３経由で音声セッションを確立させるとともに、付加されている識別子に対して発信を行い、音声サービス網４経由で音声サービス回線を確立させることとした。さらに、ＩＮＶＩＴＥメッセージに対する応答メッセージまたはその他のＳＩＰメッセージを利用して、自身の音声サービス網における識別子を発信側のゲートウェイ装置へ通知することとした。これにより、実施の形態２と同様の効果を得ることができる。
【００４４】
また、一般的な音声サービス回線で使用可能である発信者番号通知機能によって、音声サービス回線の確立時に、ＩＮＶＩＴＥメッセージを送信した側のゲートウェイ装置が、対向するゲートウェイ装置からの音声着信（音声サービス網４経由の着信）であることを確認できる。例えば、本実施の形態にかかる手順により、ＩＮＶＩＴＥメッセージを送信した側のゲートウェイ装置は、対向するゲートウェイ装置との間で音声サービス回線が確立するタイミングで他の発信者（対向するゲートウェイ装置とは異なる装置）からの着信があった場合にも、他の発信者からの着信であると認識でき、ＳＩＰセッションと音声サービス回線の対応関係に間違いが発生しないという効果を得ることができる。
【００４５】
また、実施の形態においては、通信を行うゲートウェイ装置の双方が、お互いの音声サービス回線を示す識別子を取得しているため、両者のいずれも音声サービス回線における発信を開始することができる。
【００４６】
実施の形態４．
つづいて、実施の形態４のゲートウェイ装置について説明する。本実施の形態では、実施の形態２および３のゲートウェイ装置の変形例について示す。なお、本実施の形態のゲートウェイ装置を含んだ通信システムの構成、およびゲートウェイ装置の構成は実施の形態１と同様である（図１および図２参照）。本実施の形態では、実施の形態２，３と共通する部分についての説明は省略する。
【００４７】
本実施の形態のゲートウェイ装置は、実施の形態２または３にかかるゲートウェイ装置において、音声サービス網のＤＴＭＦ（Dual-Tone  Multi-Frequency）機能を使用するように構成したものである。
【００４８】
具体的には、実施の形態２のゲートウェイ装置または実施の形態３のゲートウェイ装置と同様の動作を行い、さらに、対向するゲートウェイ装置から送信されたＩＮＶＩＴＥメッセージの応答メッセージ（１００  Ｔｒｙｉｎｇメッセージ）をＶｏＩＰ端末から受信した場合に、図７に示したような、音声サービス回線を確立した際に送信するＤＴＭＦ信号を示す情報を付与した上で対向するゲートウェイ装置へ送信する。図７は、実施の形態４のゲートウェイ装置が送信する１００  Ｔｒｙｉｎｇメッセージの一例を示す図であり、「ＧＷ−ＤＴＭＦ−Ｃｏｄｅ：２４６８」がゲートウェイ装置で付加する情報である。
【００４９】
そして、ゲートウェイ装置は、１００  ＴｒｙｉｎｇメッセージにＤＴＭＦ信号の情報を付与して送信した場合、音声サービス回線の確立後に、上記ＤＴＭＦ信号を対向するゲートウェイ装置（１００  Ｔｒｙｉｎｇメッセージの送信先としたゲートウェイ装置）に送信する。これにより、対向するゲートウェイ装置では、１００  Ｔｒｙｉｎｇメッセージを送信してきたゲートウェイ装置からの音声着信であることがわかる。
【００５０】
このように、本実施の形態の通信システムにおいて、ＳＩＰプロキシサーバとして動作するゲートウェイ装置は、実施の形態２または３のゲートウェイ装置と同様に、自身の音声サービス網における識別子をＩＮＶＩＴＥメッセージに付加した上で転送を行い、また、音声サービス網における識別子が付加されたＩＮＶＩＴＥメッセージを受信した場合には、パケットサービス網３経由で音声セッションを確立させるとともに、付加されている識別子に対して発信を行い、音声サービス網４経由で音声サービス回線を確立させることとした。さらに、ＩＮＶＩＴＥメッセージに対する応答メッセージにＤＴＭＦ信号の情報を付加して送信し、その後、音声サービス回線が確立した後に、上記応答メッセージに付加したＤＴＭＦ信号の情報に対応するＤＴＭＦ信号を送信することとした。これにより、実施の形態２と同様の効果が得られるとともに、実施の形態３と同様に、ＩＮＶＩＴＥメッセージを送信した側のゲートウェイ装置が、対向するゲートウェイ装置からの音声着信（音声サービス網４経由の着信）であることを確認できる。
【００５１】
なお、１００  Ｔｒｙｉｎｇメッセージではなく、これ以降に送信する他のメッセージを利用してＤＴＭＦ信号の情報を送信するようにしてもよい。
【産業上の利用可能性】
【００５２】
以上のように、本発明にかかるゲートウェイ装置は、ＳＩＰプロキシサーバとして動作するゲートウェイ装置に有用であり、特に、音声サービスとパケットサービスが区別されている回線を使用してＶｏＩＰ通信を行う通信システムを構成するゲートウェイ装置に適している。
【符号の説明】
【００５３】
３  パケットサービス網
４  音声サービス網
１１，１２  ゲートウェイ装置
２１，２２  通信端末
５１，５２  ＬＡＮ
１０１  ＳＩＰ処理部
１０２  音声変換部
１０３  通信端末制御部
１０４  記憶部
１０５  ＮＡＴ処理部
１０６  ＬＡＮ通信部
１１１，１１２  インタフェース
５１１，５２１  ＶｏＩＰ端末
【図１】
2011244083.tif 000003
【図２】
2011244083.tif 000004
【図３】
2011244083.tif 000005
【図４】
2011244083.tif 000006
【図５】
2011244083.tif 000007
【図６】
2011244083.tif 000008
【図７】
2011244083.tif 000009